(57)【要約】【課題】  ユーザにとって使い勝手のよい出力選択装置、再生装置及び信号処理装置並びに信号処理方法を提供する。【解決手段】  再生又は処理された映像信号は、第１の映像表示装置３０に出力される。照度検出部７は映像信号の出力中、環境の照度を検出する。検出された照度が予め定められた閾値以上である場合、制御部６は、再生又は処理された映像信号を、第１の映像表示装置３０よりも輝度の低い第２の映像表示装置４０に出力する。【選択図】  図１
2005303971.tif 000002
【特許請求の範囲】
【請求項１】
映像信号が入力される入力部と、
前記入力部から入力された映像信号を、第１の表示装置に出力する第１の出力部と、
環境の照度を検出する照度検出部と、
前記照度検出部が検出した照度が予め定められた値以上であるか否かを判別する判別部と、
前記判別部が環境の照度が前記値以上であると判別したとき、前記入力部から入力された映像信号を、前記第１の表示装置よりも輝度の低い第２の表示装置に出力する第２の出力部と、
を備える、ことを特徴とする出力選択装置。
【請求項２】
映像信号を再生する再生部と、
前記再生部が再生した信号を、第１の表示装置に出力する第１の出力部と、
環境の照度を検出する照度検出部と、
前記照度検出部が検出した照度が予め定められた値以上であるか否かを判別する判別部と、
前記判別部が環境の照度が前記値以上であると判別したとき、前記入力装置から入力された映像信号を、前記第１の表示装置よりも輝度の低い第２の表示装置に出力する第２の出力部と、
を備える、ことを特徴とする再生装置。
【請求項３】
映像信号が入力される入力部と、
前記入力部から入力された映像信号に所定の処理を施す信号処理部と、
前記信号処理部が処理した信号を、第１の表示装置に出力する第１の出力部と、
環境の照度を検出する照度検出部と、
前記照度検出部が検出した照度が予め定められた値以上であるか否かを判別する判別部と、
前記判別部が環境の照度が前記値以上であると判別したとき、前記入力部から入力された映像信号を、前記第１の表示装置よりも輝度の低い第２の表示装置に出力する第２の出力部と、
を備える、ことを特徴とする信号処理装置。
【請求項４】
前記値をユーザが入力するための値入力部をさらに備える、ことを特徴とする請求項３に記載の信号処理装置。
【請求項５】
前記第１の出力部は、前記判別部が環境の照度が前記値以上であると判別したとき、前記入力部から入力された映像信号を、前記第１の表示装置よりも輝度の低い外部の第２の表示装置に出力しない、ことを特徴とする請求項３又は４に記載の信号処理装置。
【請求項６】
前記第１の出力部は、前記判別部が環境の照度が前記値以上であると判別したとき、前記入力部から入力された映像信号を、前記第１の表示装置よりも輝度の低い外部の第２の表示装置に出力する、ことを特徴とする請求項３又は４に記載の信号処理装置。
【請求項７】
前記第２の表示部は外部に設けられている、ことを特徴とする、請求項３乃至６のいずれか１項に記載の信号処理装置。
【請求項８】
前記第２の表示部は内部に設けられている、ことを特徴とする請求項３乃至６のいずれか１項に記載の信号処理装置。
【請求項９】
前記信号処理部が処理した映像信号に、所定の映像信号を重畳する信号重畳部をさらに備える、ことを特徴とする請求項３乃至８のいずれか１項に記載の信号処理装置。
【請求項１０】
前記信号重畳部が前記映像信号に所定の映像信号を重畳するよう指示する入力をユーザが入力する指示入力部を備える、ことを特徴とする請求項９に記載の信号処理装置。
【請求項１１】
映像信号を入力するステップと、
入力された映像信号を、第１の表示装置に出力するステップと、
映像信号の出力中、環境の照度を検出するステップと、
検出した照度が予め定められた値以上であるか否かを判別するステップと、
環境の照度が前記値以上であると判別したとき、入力された映像信号を、前記第１の表示装置よりも輝度の低い第２の表示装置に出力するステップと、
を備える、ことを特徴とする出力選択方法。
【請求項１２】
映像信号を再生するステップと、
再生した信号を、第１の表示装置に出力するステップと、
映像信号の出力中、環境の照度を検出するステップと、
検出した照度が予め定められた値以上であるか否かを判別するステップと、
環境の照度が前記値以上であると判別したとき、入力された映像信号を、前記第１の表示装置よりも輝度の低い第２の表示装置に出力するステップと、
を備える、ことを特徴とする再生方法。
【請求項１３】
映像信号を入力するステップと、
入力された映像信号に所定の処理を施すステップと、
処理した信号を、第１の表示装置に出力するステップと、
映像信号の出力中、環境の照度を検出するステップと、
検出した照度が予め定められた値以上であるか否かを判別するステップと、
環境の照度が前記値以上であると判別したとき、入力された映像信号を、前記第１の表示装置よりも輝度の低い第２の表示装置に出力するステップと、
を備える、ことを特徴とする信号処理方法。
【請求項１４】
環境の照度が前記値以上であると判別したとき、入力された映像信号を、前記第１の表示装置よりも輝度の低い外部の第２の表示装置に出力しない、ことを特徴とする請求項１３に記載の信号処理方法。
【請求項１５】
環境の照度が前記値以上であると判別したとき、入力された映像信号を、前記第１の表示装置よりも輝度の低い外部の第２の表示装置に出力する、ことを特徴とする請求項１３又は１４に記載の信号処理方法。
【発明の詳細な説明】
【技術分野】
【０００１】
本発明は、映像信号の出力のための出力選択装置、再生装置及び信号処理装置並びに出力選択方法、再生方法及び信号処理方法に関する。
【背景技術】
【０００２】
近年、家庭内で映画、コンサート等を楽しむための、いわゆるホームシアターが一般的となってきている。ホームシアターは、通常、再生装置と、プロジェクタと、スピーカと、を含む。再生装置は、ＤＶＤ(Digital Versatile Disc)等の記録媒体に記録された映像信号及びオーディオ信号を再生する。プロジェクタは再生装置が再生した映像信号をスクリーン等に投影して表示する。スピーカは、例えば視聴者の周囲に配置され、再生装置が再生したオーディオ信号を出力する。ＡＶアンプ等の信号処理装置が、プロジェクタ及び／又はスピーカとの間に設けられていてもよい。
【０００３】
通常、プロジェクタは暗い室内で使用される。このため、暗い状態で映像がよく見えるよう、プロジェクタの映像表示の輝度は低い。これに比べ、例えば、テレビ放送等の映像の表示に用いられる、ブラウン管、液晶ディスプレイ、プラズマディスプレイ等の映像表示装置の輝度は高い。
【０００４】
プロジェクタの使用の際、プロジェクタの表示画面を見ながら、再生装置や信号処理装置に関する調整、設定をする場合、取扱説明書を参照して行うことがある。かかる時には部屋を明るくするが、部屋を明るくするとプロジェクタの輝度の低い映像表示が見づらく、装置の調整、設定が難しくなりうる。
【０００５】
例えば、一般的に使用されているプロジェクタは、輝度を最大にしても、取扱説明書を読むことができる程度の部屋の明るさでは、映像表示が見えにくい。すなわち、プロジェクタの使用に適する照度は５ルクス以下であり、取扱説明書を読むことができる照度は、通常５００ルクス程度、少なくとも３００ルクス以上である。
【０００６】
このため、かかる場合には、再生装置や信号処理装置から映像信号を、本体のＬＥＤやブラウン管などの輝度の高い他の映像表示装置に映像信号を出力して、装置を調整、設定することが考えられる（例えば、特許文献１参照）。
【０００７】
【特許文献１】特開平８−６５６６１号公報
【発明の開示】
【発明が解決しようとする課題】
【０００８】
しかし、部屋を明るくして装置の設定や調整を行うには、室内の照明の点灯と、輝度の高い映像表示装置を出力先としての選択と、を行う必要がある。また、逆に、装置の設定や調整後には、照明の消灯と、輝度の低いプロジェクタの選択と、を行う必要がある。映画等をすぐに楽しみたいユーザには、設定や調整に要する操作が少ない方が望ましく、ユーザの楽しみを損なわせうる。
【０００９】
上記事情を鑑み、本発明は、ユーザにとって使い勝手のよい出力選択装置、再生装置及び信号処理装置並びに出力選択方法、再生方法及び信号処理方法を提供することを目的とする。
また、本発明は、環境の照度に応じて適切な映像表示装置を選択可能な出力選択装置、再生装置及び信号処理装置並びに出力選択方法、再生方法及び信号処理方法を提供することを目的とする。
【課題を解決するための手段】
【００１０】
上記目的を達成するため、本発明の第１の観点に係る出力選択装置は、
映像信号が入力される入力部と、
前記入力部から入力された映像信号を、第１の表示装置に出力する第１の出力部と、
環境の照度を検出する照度検出部と、
前記照度検出部が検出した照度が予め定められた値以上であるか否かを判別する判別部と、
前記判別部が環境の照度が前記値以上であると判別したとき、前記入力部から入力された映像信号を、前記第１の表示装置よりも輝度の低い第２の表示装置に出力する第２の出力部と、
を備える。
【００１１】
上記目的を達成するため、本発明の第２の観点に係る再生装置は、
映像信号を再生する再生部と、
前記再生部が再生した信号を、第１の表示装置に出力する第１の出力部と、
環境の照度を検出する照度検出部と、
前記照度検出部が検出した照度が予め定められた値以上であるか否かを判別する判別部と、
前記判別部が環境の照度が前記値以上であると判別したとき、前記入力装置から入力された映像信号を、前記第１の表示装置よりも輝度の低い第２の表示装置に出力する第２の出力部と、
を備える。
【００１２】
上記目的を達成するため、本発明の第３の観点に係る信号処理装置は、
映像信号が入力される入力部と、
前記入力部から入力された映像信号に所定の処理を施す信号処理部と、
前記信号処理部が処理した信号を、第１の表示装置に出力する第１の出力部と、
環境の照度を検出する照度検出部と、
前記照度検出部が検出した照度が予め定められた値以上であるか否かを判別する判別部と、
前記判別部が環境の照度が前記値以上であると判別したとき、前記入力部から入力された映像信号を、前記第１の表示装置よりも輝度の低い第２の表示装置に出力する第２の出力部と、
を備える。
【００１３】
上記信号処理装置は、前記値をユーザが入力するための値入力部をさらに備えてもよい。
また、前記第１の出力部は、例えば、前記判別部が環境の照度が前記値以上であると判別したとき、前記入力部から入力された映像信号を、前記第１の表示装置よりも輝度の低い外部の第２の表示装置に出力しない。または、前記第１の出力部は、前記判別部が環境の照度が前記値以上であると判別したとき、前記入力部から入力された映像信号を、前記第１の表示装置よりも輝度の低い外部の第２の表示装置に出力する。
さらにまた、前記第２の表示部は外部に設けられていてもよい。または、前記第２の表示部は内部に設けられていてもよい。
さらにまた、上記信号処理装置は、前記信号処理部が処理した映像信号に、所定の映像信号を重畳する信号重畳部をさらに備えてもよい。この場合、上記信号処理装置は、前記信号重畳部が前記映像信号に所定の映像信号を重畳するよう指示する入力をユーザが入力する指示入力部を備えてもよい。
【００１４】
上記目的を達成するため、本発明の第４の観点に係る出力選択方法は、
映像信号を入力するステップと、
入力された映像信号を、第１の表示装置に出力するステップと、
映像信号の出力中、環境の照度を検出するステップと、
検出した照度が予め定められた値以上であるか否かを判別するステップと、
環境の照度が前記値以上であると判別したとき、入力された映像信号を、前記第１の表示装置よりも輝度の低い第２の表示装置に出力するステップと、
を備える。
【００１５】
上記目的を達成するため、本発明の第５の観点に係る再生方法は、
映像信号を再生するステップと、
再生した信号を、第１の表示装置に出力するステップと、
映像信号の出力中、環境の照度を検出するステップと、
検出した照度が予め定められた値以上であるか否かを判別するステップと、
環境の照度が前記値以上であると判別したとき、入力された映像信号を、前記第１の表示装置よりも輝度の低い第２の表示装置に出力するステップと、
を備える。
【００１６】
上記目的を達成するため、本発明の第６の観点に係る信号処理方法は、
映像信号を入力するステップと、
入力された映像信号に所定の処理を施すステップと、
処理した信号を、第１の表示装置に出力するステップと、
映像信号の出力中、環境の照度を検出するステップと、
検出した照度が予め定められた値以上であるか否かを判別するステップと、
環境の照度が前記値以上であると判別したとき、入力された映像信号を、前記第１の表示装置よりも輝度の低い第２の表示装置に出力するステップと、
を備える。
【００１７】
上記信号処理方法において、環境の照度が前記値以上であると判別したとき、入力された映像信号を、前記第１の表示装置よりも輝度の低い外部の第２の表示装置に出力しないようにしてもよい。または、環境の照度が前記値以上であると判別したとき、入力された映像信号を、前記第１の表示装置よりも輝度の低い外部の第２の表示装置に出力するようにしてもよい。
【発明の効果】
【００１８】
本発明によれば、ユーザにとって使い勝手のよい出力選択装置、再生装置及び信号処理装置並びに出力選択方法、再生方法及び信号処理方法が提供される。
また、本発明によれば、環境の照度に応じて適切な映像表示装置を選択可能な出力選択装置、再生装置及び信号処理装置並びに出力選択方法、再生方法及び信号処理方法が提供される。
【発明を実施するための最良の形態】
【００１９】
本発明に係る実施の形態について、以下、図面を参照して詳細に説明する。なお、以下に示す実施の形態は一例であり、これに限定されない。
【００２０】
（第１の実施の形態）
図１に、本発明の第１の実施の形態にかかる出力選択装置１００のブロック図を示す。図１に示す出力選択装置１００は、入力端子１と、出力端子３、５と、制御部６と、照度検出部７と、操作部８と、を備える。
【００２１】
入力端子１は、ＤＶＤ等のリムーバブル記録媒体あるいは自身が有する固定記録媒体に記録されたレコードを再生する再生装置２０に接続され、映像信号の入力を受ける。入力端子１は、再生装置２０が再生した信号に所定の処理を施して出力するアンプ等の信号処理装置に接続されていてもよい。すなわち、出力選択装置１００は、ＤＶＤプレーヤ、ビデオレコーダ等の再生装置と、後述する２つの映像表示装置と、の間に設けられる。
【００２２】
出力端子３は、輝度の低い第１の映像表示装置３０、例えば、プロジェクタに接続され、スイッチ２がオンであるときこれに映像信号を出力する。
【００２３】
出力端子５は、輝度の高い第２の映像表示装置４０、例えば、ブラウン管ＴＶに接続され、スイッチ４がオンであるときこれに映像信号を出力する。
【００２４】
ここで、「輝度が低い映像表示装置」とは、低い照度、例えば、５ルクス以下でその映像表示が見やすいが、高い照度、例えば、５００ルクス程度、少なくとも３００ルクス以上では映像表示が見づらい装置をいう。また、「輝度が高い映像表示装置」とは、高い照度、例えば、５００ルクス程度、少なくとも３００ルクス以上でも映像表示が見やすい装置をいう。ここで、「照度が低い」とは、その照度の照明の下で読書が難しい程度をいう。
【００２５】
照度検出部７は、出力選択装置１００が配置された環境の光の照度を検出する。照度検出部７は、ＣｄＳセル、フォトダイオード等の光電変換素子を含んで構成される。照度検出部７は、光の照度に応じた属性を有する電気信号を制御部６に送出する。照度検出部７は、好ましくは、出力選択装置１００本体に、光検出部分が可動に設けられている。照度検出部７は、出力選択装置１００本体から有線又は無線を介して遠隔に設置されてもよい。
【００２６】
また、好ましくは、照度検出部７は、出力端子３及び出力端子５に接続された第１及び／又は第２の映像表示装置３０、４０の付近に、表示面に当たる光の照度を検出可能な方向に設置される。出力端子３に接続された第１の映像表示装置３０の画面の向きと、出力端子５に接続された第２の映像表示装置４０の画面の向きとが異なる場合、使用者が、光の照度の検出方向を決めて、照度検出部７を設置してもよい。
【００２７】
制御部６は、出力選択装置１００全体を統合的に制御する。制御部６は、スイッチ２及びスイッチ４の、オンとオフとを切り換える。制御部６は、例えば、スイッチ２をオンにしたとき、スイッチ４をオフにする。また、スイッチ２をオフにしたとき、スイッチ４をオンにする。なお、制御部６は、スイッチ２を常時オンにし、スイッチ４のオンオフを適宜切り換えてもよい。
【００２８】
制御部６は、照度検出部７から入力された信号に基づいて照度を判別し、スイッチ２及びスイッチ４のオンオフを制御する。制御部６は、スイッチ２及びスイッチ４のオンとオフとを切り換える判断のための、照度検出部７が検出する照度の閾値を記憶する閾値記憶部６ａを備える。照度の閾値は、プロジェクタの使用に適する照度が５ルクス以下であり、取扱説明書を読むことができる照度は少なくとも３００ルクス以上であることから、例えば、１００ルクスに設定されている。
【００２９】
操作部８は、制御部６に接続され、閾値記憶部６ａに記憶させる閾値を入力するための操作ボタンを備える。また、操作部８は、手動でスイッチ２、スイッチ４のオンとオフとを切り換える操作ボタンを備える。なお、操作部８は任意に設置可能であり、閾値等は製造者が予め入力し、ユーザが入力等の操作を行わないようにしてもよい。
【００３０】
以下、本発明の上記第１の実施の形態に係る出力選択装置１００の動作について説明する。なお、同様の結果が得られる限り、以下の例に限られない。
【００３１】
図２に、出力選択装置１００の動作を説明するフローを示す。また、図３に、照度検出部７が検出する所定環境内の照度変化の例を示す。図３中の実線ａは、照度検出部７が検出する照度を示す。図中の値ｂは、制御部６が、スイッチ２及び／又はスイッチ４を切り換える照度の閾値を示す。
【００３２】
最初、ユーザは、部屋を暗くして第１の映像表示装置３０を使用している（図２ステップＳ１）。再生中、出力選択装置１００の制御部６は、照度検出部７により使用環境の照度をモニタしている。すなわち、制御部６は、閾値記憶部６ａに記憶された閾値を読み出し、検出された照度が閾値以上であるか否かを判別している（ステップＳ２）。照度が閾値以上でなければ、制御部６は第１の映像表示装置３０のみに映像信号を出力する（ステップＳ２；ＮＯ）。
【００３３】
この状態から、ユーザがその取扱説明書を読むために室内の照明を点灯したとする。このとき、照度検出部７が検出する照度は、図３の実線ａに示すように、時間の経過とともに上昇する。時刻ｔ１で、照度が閾値ｂ以上に達したとき（図２ステップＳ２；ＹＥＳ）、制御部６は、スイッチ４をオンにし、第２の映像表示装置４０に映像信号を出力する（ステップＳ３）。従って、点灯状態では出力端子５に接続された第２の映像表示装置４０に映像が表示される。
【００３４】
取扱説明書を読み終わった後、ユーザは部屋の照明を消灯する。このとき、部屋は次第に暗くなり、図３中時間ｔ２以後には、照度は閾値ｂ未満に下がる（図２ステップＳ４；ＮＯ）。このとき、制御部６は、スイッチ４をオフにし、第２の映像表示装置４０への映像信号の出力を停止する（ステップＳ５）。従って、出力端子３に接続された第１の映像出力装置３０のみに映像が表示される。
【００３５】
このように、本発明の第１の実施の形態では、出力選択装置１００の設置環境の照度が閾値以上であるとき、輝度の高い第２の映像表示装置４０が映像を表示する。また、部屋が暗く、環境の照度が閾値以下であるとき、輝度の低い第１の映像表示装置３０が映像を表示する。
【００３６】
従って、輝度の低い第１の映像表示装置３０を使用している場合、使用中に取扱説明書を読むために部屋を明るくしたとき、輝度の高い第２の映像表示装置４０に自動的に切り換えられる。このため、ユーザは、自ら表示装置を切り替える操作をすることなく、必要な明るさの下で取扱説明書を読める一方で、輝度が高く見やすい表示画面を介して不便なく調整、設定することができる。また、調整、設定を行った後、部屋を暗くすれば、再び、輝度の低い第１の映像表示装置３０による表示に自動的に戻る。
【００３７】
別の言い方をすれば、部屋が暗い場合には、輝度の高い第２の映像表示装置４０には映像信号は出力されず、不要な発光は防がれ、第１の映像表示装置３０の映像表示を支障無く見ることができる。また、部屋が明るい場合には、輝度の高い第２の映像表示装置４０に映像信号を出力して映像表示を支障なく見ることができる。このように、本実施の形態の出力選択装置１００を用いることにより、再生装置２０の使い勝手が向上する。
【００３８】
上記第１の実施の形態では、輝度の高い第２の映像表示装置４０は出力選択装置１００の外部に設けられている。しかし、図４に示すように、第２の映像表示装置４０の代わりに、これと同等の機能を有する表示部１０を出力選択装置１００に設けてもよい。この場合、表示部１０は、例えば、輝度の高い液晶表示パネルから構成され、ユーザはその画面上で同様に設定、調整することができる。したがって、第１の映像表示装置３０の他に第２の映像表示装置４０を設ける必要はなく、より簡便に調整等が可能となる。
【００３９】
（第２の実施の形態）
図５に、本発明の第２の実施の形態に係る信号処理装置２００のブロック図を示す。なお、理解を容易なものとするため、図１及び図４に示すものと共通の要素には同じ符号を付けて説明を省略する。
【００４０】
第２の実施の形態に係る信号処理装置２００は、図５に示すように、上述した出力選択装置１００とほぼ同じ構成を有し、さらに、信号処理部１３を備える。
【００４１】
信号処理部１３は、例えば、再生装置２０からの再生信号に所定の処理を施し、出力端子３、５から第１及び第２の映像表示装置に出力する。信号処理部１３は、例えば、再生信号を増幅し、この場合、信号処理装置２００は、アンプとして機能する。
【００４２】
第２の実施の形態に係る信号処理装置２００は、上記第１の実施の形態に係る出力選択装置１００と同様の機能を有する。すなわち、信号処理装置２００は、予め定められた閾値未満の照度では、輝度の低い第１の映像表示装置３０のみに処理した映像信号を出力する。そして、該閾値以上の照度では、輝度の高い第２の映像表示装置４０のみに、あるいは、第１及び第２の映像表示装置３０、４０の両方に映像信号を出力する。
【００４３】
これにより、ユーザは、自ら表示装置を切り替える操作することなく、必要な明るさの下で取扱説明書を読める一方で、輝度が高く見やすい表示画面を介して不便なく調整、設定することができる。また、調整、設定を行った後、部屋を暗くすれば、再び、輝度の低い第１の映像表示装置３０による表示に自動的に戻る。このように、本実施の形態によれば、使い勝手のよい信号処理装置２００が得られる。
【００４４】
上記第２の実施の形態に係る信号処理装置２００において、図２に示す出力選択装置１００と同様に、図６に示すように、外部の第２の映像表示部４０の代わりに、自身に設けられた液晶表示パネル等の表示部１０に映像信号を出力するようにしてもよい。
【００４５】
また、第２の実施の形態に係る信号処理装置２００において、映像表示装置に表示する映像の画質等の調整項目及び調整値、信号処理装置の設定項目及び設定値を示す映像信号を、ユーザの希望により、入力された再生信号に重畳して出力するようにしてもよい。
【００４６】
この場合、図７に示すように、信号処理装置２００は、例えば、信号重畳部９と、設定記憶部９ａと、を備える。信号重畳部９は、入力端子１から入力された映像信号に、設定記憶部９ａに記憶された映像信号を重畳する。
【００４７】
設定記憶部９ａは、表示する映像の画質等の調整項目及び調整値、信号処理装置２００の施す処理の設定項目及び設定値を示す映像信号を記憶する。設定記憶部９ａに記憶された値は、製造者が入力した初期値か、ユーザが設定した値である。
【００４８】
操作部８は、ユーザが設定値等を示す映像信号を重畳するか否かの切換え操作をするための操作ボタン等を備える。
【００４９】
かかる構成において、操作部８を介してユーザから重畳する旨の入力を受けた場合、信号重畳部９は設定記憶部９ａから映像表示に関する調整値や設定値に対応する映像信号を読み出し、入力された再生信号に重畳する。この結果、第２の映像表示装置４０は表示設定値等も画面表示し、ユーザはこれを見ながら調整、設定を行うことができる。制御部９は、新たに調整、設定された値に従って、設定記憶部９ａに設定値を更新記憶する。これにより、ユーザはより簡便に装置を調整、設定することができる。
【００５０】
さらに、図６に示す信号装置１００と同様に、図８に示すように、外部の第２の映像表示部４０の代わりに、自身に設けられた液晶表示パネル等の表示部１０に映像信号を出力するようにしてもよい。
【００５１】
（第３の実施の形態）
図９に、本発明の第３の実施の形態に係る再生装置３００のブロック図を示す。なお、理解を容易なものとするため、図１、図４乃至８に示すものと共通の要素には同じ符号を付けて説明を省略する。
【００５２】
第３の実施の形態に係る再生装置３００は、図９に示すように、上述した出力選択装置１００とほぼ同じ構成を有し、さらに、再生部１１を備える。再生部１１は、ＤＶＤ等のリムーバブル記録媒体あるいは再生装置３００に設けられた固定記録媒体に記録されたレコードを再生する。
【００５３】
第３の実施の形態に係る再生装置３００は、上記第１の実施の形態に係る選択装置１００と同様の機能を有する。すなわち、再生装置３００は、予め定められた閾値未満の照度では、輝度の低い第１の映像表示装置３０のみに、再生部１１が再生した映像信号を出力する。そして、該閾値以上の照度では、輝度の高い第２の映像表示装置４０のみに、あるいは、第１及び第２の映像表示装置３０、４０の両方に再生した映像信号を出力する。
これにより、ユーザは、自ら表示装置を切り替える操作することなく、必要な明るさの下で取扱説明書を読める一方で、輝度が高く見やすい表示画面を介して不便なく調整、設定することができる。また、調整、設定を行った後、部屋を暗くすれば、再び、輝度の低い第１の映像表示装置３０による表示に自動的に戻る。このように、本実施の形態によれば、使い勝手のよい再生装置３００が得られる。
【００５４】
上記第３の実施の形態に係る再生装置３００において、図２に示す出力選択装置１００と同様に、図１０に示すように、外部の第２の映像表示部４０の代わりに、自身に設けられた液晶表示パネル等の表示部１０に映像信号を出力するようにしてもよい。
【００５５】
また、表示する映像の画質等の調整項目、調整値、設定値を示す映像信号を、ユーザの希望により、入力された再生信号に重畳して出力するようにしてもよい。この場合、図７に示す信号処理装置２００と同様に、図１１に示すように、信号重畳部９及び設定記憶部９ａを設ける。さらに、図１２に示すように、第２の表示装置４０の代わりに、内部の表示部１０に重畳された信号を表示するようにしてもよい。
【図面の簡単な説明】
【００５６】
【図１】本発明の第１の実施の形態に係る出力選択装置のブロック図を示す図である。
【図２】図１に示す出力選択装置の動作フローを示す図である。
【図３】照度の変化を示す図である。
【図４】本発明の第１の実施の形態に係る出力選択装置の変形例を示す図である。
【図５】本発明の第２の実施の形態に係る信号処理装置のブロック図を示す。
【図６】本発明の第２の実施の形態に係る信号処理装置の変形例を示す図である。
【図７】本発明の第２の実施の形態に係る信号処理装置の変形例を示す図である。
【図８】本発明の第２の実施の形態に係る信号処理装置の変形例を示す図である。
【図９】本発明の第３の実施の形態に係る再生装置のブロック図を示す。
【図１０】本発明の第３の実施の形態に係る再生装置の変形例を示す図である。
【図１１】本発明の第３の実施の形態に係る再生装置の変形例を示す図である。
【図１２】本発明の第３の実施の形態に係る再生装置の変形例を示す図である。
【符号の説明】
【００５７】
１００：出力選択装置、１：入力端子、３、５：出力端子、６：制御部、７：照度検出部、８：操作部、３０：第１の映像表示装置、４０：第２の映像表示装置、２００：信号処理装置、１３：信号処理部、３００：再生装置、再生部：１１。
【図１】
2005303971.tif 000003
【図２】
2005303971.tif 000004
【図３】
2005303971.tif 000005
【図４】
2005303971.tif 000006
【図５】
2005303971.tif 000007
【図６】
2005303971.tif 000008
【図７】
2005303971.tif 000009
【図８】
2005303971.tif 000010
【図９】
2005303971.tif 000011
【図１０】
2005303971.tif 000012
【図１１】
2005303971.tif 000013
【図１２】
2005303971.tif 000014